(57)【特許請求の範囲】
【請求項１】
自動車の前席（３）と後席（４）との間に配設されてペットを乗車させるペットシートカバー（１）であって、前記ペットシートカバー（１）が、シートカバー本体（２）と、このシートカバー本体（２）を前席（３）側、後席（４）側に固定する固定手段（５）とを備え、前記固定手段（５）はシートカバー本体（２）を前席（３）に固定する前部側固定具（６）と、後席（４）側に固定する後部側固定具（７）とからなり、前部側固定具（６）は、一端がシートカバー本体（２）に連結され中間部（８）が前席（３）の背もたれに巻回され他端がシートカバー本体（２）に連結される調整固定ベルト（１０）と、この調整固定ベルト（１０）の一端側又は他端側とシートカバー本体（２）との間に設けられて中間部の長さを調整可能なバックル（１１）とで形成され、後部側固定具（７）は、シートカバー本体（２）の下部側を後席下部側に固定する下部側固定具（１２）と、シートカバー本体（２）の上部側を後席上部側に固定する上部側固定具（１３）とで形成されていることを特徴とするペットシートカバー（１）。
【請求項２】
前記下部側固定具は、一端が前記シートカバー本体の後部側下部に連結され他端が前記後席の座面と背もたれとの隙間から後方側に引き出される固定ベルトと、この固定ベルトの他端側に設けられて後席の座面と背もたれとの隙間からの前記固定ベルトの抜けを阻止する後席固定具とからなることを特徴とする請求項１記載のペットシートカバー。
【請求項３】
前記調整固定ベルトは、前席の背もたれに上下方向に巻回されていることを特徴とする請求項１又は請求項２に記載のペットシートカバー。
【請求項４】
前記シートカバー本体が、ペットが載置される底部と、この底部の外周から立ち上がる周壁とで構成され、前記底部は、平面状態を維持可能な部材を有することを特徴とする請求項１乃至請求項３のいずれか一項に記載のペットシートカバー。
【請求項５】
一側が前記シートカバー本体の前部側に連結され、他側が車室内の両側部のアシストグリップにそれぞれ連結されるネットを有することを特徴とする請求項１乃至請求項４のいずれか一項に記載のペットシートカバー。
【請求項６】
前記周壁が、前後方向に対向して設けられる前後壁と、左右方向に対向して設けられる左右壁とで形成され、前記左右壁は、シートカバー内部を開閉可能に前記前後壁に連結されていることを特徴とする請求項４又は請求項５に記載のペットシートカバー。
【請求項７】
前記底部は、折り畳み可能に分割形成されていることを特徴とする請求項４乃至請求項６のいずれか一項に記載のペットシートカバー。
【請求項８】
前記後席固定具は、後席の背もたれと座面との隙間に挿入可能でかつ後方へ挿入させた後に固定ベルトに対して交差させることで前記隙間からの抜けが阻止される剛性を有した枠体と、この枠体内に設けられて前記固定ベルトが巻き付けられる巻き付けバーとからなることを特徴とする請求項２乃至請求項７のいずれか一項に記載のペットシートカバー。
【発明の詳細な説明】
【技術分野】
【０００１】
本発明は、ペットを自動車に乗車させた際に、座席やフロアの汚れを防止するためのペットシートカバーに関する。
【背景技術】
【０００２】
特許文献１に、犬や猫等のペットを自動車に乗車させる際に、座席や床の汚れ等を防止するペットシートカバー（以下「シートカバー」という）が記載されている。このシートカバーは、前席と後席との間に後席の座面と、後席側の床上を覆うように配設されるシート状のカバー本体で形成されている。このカバー本体の四隅には、ベルトがループ状に取り付けられており、これらの４つのベルトを、前席側の左右（運転席、助手席）のヘッドレスト、後席側の左右のヘッドレストに巻き付けることによって、前席、後席のヘッドレスト間に掛け渡され、十分に弛ませた状態で保持されている。
【０００３】
そして、このシートカバーでは、カバー本体の前側部分の中央部に、フロアトンネル部分をよけるべく切欠部が形成されていることにより、フロアトンネルが設けられた車両においてカバー本体の前側部分を後部座席の座部から垂らして敷いた場合でも、フロアトンネルが邪魔にならないので、カバー本体の前側部分をフロアにきれいに敷くことができる。
【特許文献１】特開２０００−３１６４０４号公報
【発明の開示】
【発明が解決しようとする課題】
【０００４】
しかしながら、近年前席の左右のヘッドレストには、車両緊急時の衝撃吸収装置が装備さされている場合があり、上記のシートカバーのように前席の左右のヘッドレストにベルトを掛けて係止させると衝撃吸収装置に無理な力が加わったり、正常に作動しなかったりするためヘッドレストに衝撃吸収装置が装備された車両においては、ヘッドレストをシートカバーの係止部として使用することができず、ヘッドレストに衝撃吸収装置が装備された車両には、上記シートカバーを用いることができないという問題ある。
【０００５】
そこで、本発明は、前席のヘッドレストを固定部分として用いることなく、前席と後席との間に強固に配設することができるペットシートカバーの提供を目的とする。
【課題を解決するための手段】
【０００６】
請求項１の発明は、自動車の前席と後席との間に配設されてペットを乗車させるペットシートカバーであって、前記ペットシートカバーが、シートカバー本体と、このシートカバー本体を前席側、後席側に固定する固定手段とを備え、前記固定手段はシートカバー本体を前席に固定する前部側固定具と、後席側に固定する後部側固定具とからなり、前部側固定具は、一端がシートカバー本体に連結され中間部が前席の背もたれに巻回され他端がシートカバー本体に連結される調整固定ベルトと、この調整固定ベルトの一端側又は他端側とシートカバー本体との間に設けられて中間部の長さを調整可能なバックルとで形成され、後部側固定具は、シートカバー本体の下部側を後席下部側に固定する下部側固定具と、シートカバー本体の上部側を後席上部側に固定する上部側固定具とで形成されていることを特徴とする。
【０００７】
請求項２の発明は、請求項１に記載のペットシートカバーであって、前記下部側固定具は、一端が前記シートカバー本体の後部側下部に連結され他端が前記後席の座面と背もたれとの隙間から後方側に引き出される固定ベルトと、この固定ベルトの他端側に設けられて後席の座面と背もたれとの隙間からの前記固定ベルトの抜けを阻止する後席固定具とからなることを特徴とする。
【０００８】
請求項３の発明は、請求項１又は請求項２のペットシートカバーであって、前記調整固定ベルトは、前席の背もたれに上下方向に巻回されていることを特徴とする。
【０００９】
請求項４の発明は、請求項１乃至請求項３のいずれか一項に記載のペットシートカバーであって、前記シートカバー本体が、ペットが載置される底部と、この底部の外周から立ち上がる周壁とで構成され、前記底部は、平面状態を維持可能な部材を有することを特徴とする。
【００１０】
請求項５の発明は、請求項１乃至請求項４のいずれか一項に記載のペットシートカバーであって、一側が前記シートカバー本体の前部側に連結され、他側が車室内の両側部のアシストグリップにそれぞれ連結されるネットを有することを特徴とする。
【００１１】
請求項６の発明は、請求項４又は請求項５記載のペットシートカバーであって、前記周壁が、前後方向に対向して設けられる前後壁と、左右方向に対向して設けられる左右壁とで形成され、前記左右壁は、シートカバー内部を開閉可能に前記前後壁に連結されていることを特徴とする。
【００１２】
請求項７の発明は、請求項４乃至請求項６のいずれか一項に記載のペットシートカバーであって、前記底部は、折り畳み可能に分割形成されていることを特徴とする。
【００１３】
請求項８の発明は、請求項２乃至請求項７のいずれか一項に記載のペットシートカバーであって、前記後席固定具は、後席の背もたれと座面との隙間に挿入可能でかつ後方へ挿入させた後に固定ベルトに対して交差させることで前記隙間からの抜けが阻止される剛性を有した枠体と、この枠体内に設けられて前記固定ベルトが巻き付けられる巻き付けバーとからなることを特徴とする。
【発明の効果】
【００１４】
本発明によれば、一端がシートカバー本体に連結され中間部が前席の背もたれに巻回され他端がシートカバー本体に連結される調整固定ベルトによって前席にシートカバー本体が固定され、前席のヘッドレストを固定用に使用しないので、衝突吸収装置が装備されたヘッドレストの機能に影響を与えることがない。これにより、前席のヘッドレストに衝撃吸収装置が装備された車両にもペットシートカバーを用いることができる。また、本発明では、前部側固定具と後側固定具とで前席と後席に固定されるのでシートカバーを強固に固定することができる。
【００１５】
また、シートカバー本体の後部側は、固定ベルトと後席固定具により強固に後席に固定することができる。
【００１６】
また、シートカバー本体の前部側は、調整固定ベルトが前席の背もたれに上下方向に巻回されているので、強固に前席に固定することができる。
【００１７】
また、シートカバー本体が、ペットが載置される底部と、この底部の外周から立ち上がる周壁とで構成され、前記底部は、平面状態を維持可能な部材を有しているので、前席と後席との間でのシートカバー本体の底部の沈み込みを防止することができる。また、周壁を設けたことにより、後席側のドアを開放した際にペットが突然シートカバー本体から飛び出すことを防止することができる。
【００１８】
また、一側が前記シートカバー本体の前部側に連結され、他側が車室内の両側部のアシストグリップにそれぞれ連結されるネットを有しているので、ペットの前席への移動を防ぐことができ、運転手への影響を運転に影響を与えることがなく、前面衝突時にペットが前方へ投げ出されることを防止することができる。
【００１９】
また、周壁が、前後方向に対向して設けられる前後壁と、左右方向に対向して設けられる左右壁とで形成され、前記左右壁は、シートカバー内部を開閉可能に前記前後壁に連結されているので、ペットをシートカバー本体内に入れる際に、左右壁のいずれかを開放することで容易にペットをシートカバー本体内に入れることができる。
【００２０】
また、底部が、折り畳み可能に分割形成されているので、使用しないときは折り畳むことで少ないスペースに収納することが可能となる。
【００２１】
また、後席固定具は、後席の背もたれと座面との隙間に挿入可能でかつ後方へ挿入させた後に固定ベルトに対して交差させることで前記隙間からの抜けが阻止される剛性を有した枠体と、この枠体内に設けられて前記固定ベルトが巻き付けられる巻き付けバーとからなるので、シートカバー本体の後部側下部を後席に容易に固定することができる。
【発明を実施するための最良の形態】
【００２２】
以下、本発明の一実施形態を図面に基づいて説明する。
【００２３】
図１及び図２は本発明の一実施形態を示し、図１は本発明の実施形態のペットシートカバー（以下単に「シートカバー」という）１を示す斜視図、図２はシートカバー１を折り畳んだ状態を示す斜視図、図３はシートカバー１を自動車の車室内の前席３と後席４との間に配設した状態を示す斜視図である。
【００２４】
図１に示すように、シートカバー１は、シートカバー本体２と、このシートカバー本体１を前席（図３参照）３側、後席（図３参照）４側に固定する固定手段５とを備えている。固定手段５はシートカバー本体１を前席３に固定する前部側固定具６と、後席４側に固定する後部側固定具７とからなる。前部側固定具６は、一端がシートカバー本体２に連結され中間部８が前席３の背もたれ９に巻回され（図４参照）他端がシートカバー本体２に連結される調整固定ベルト１０と、この調整固定ベルト１０の他端側とシートカバー本体２との間に設けられて中間部の長さを調整可能なバックル１１とで形成されている。また、後部側固定具７は、シートカバー本体２の下部側を後席４下部側に固定する下部側固定具１２と、シートカバー本体２の上部側を後席４上部側に固定する上部側固定具１３とで形成されている。
【００２５】
シートカバー本体２は、ペットが載置される底部１４と、この底部１４の外周から立ち上がる周壁１５とで構成されている。底部１４は、布製で３個の平らな袋状の分割底部１６ａ、１６ｂ、１６ｃで形成され、これらの分割底部１６ａ、１６ｂ、１６ｃ内には、剛性を有し、平面状態を維持可能な部材（例えば、発泡スチロール、ウレタン等）が収納されている。また、分割底部１６ａ、１６ｂ、１６ｃ間には、折りたたみ部１７、１７が設けられ、これらの折りたたみ部１７、１７によって分割底部１６ａ、１６ｂ、１６ｃを折り畳むことで、図２（ａ）、（ｂ）に示すようにシートカバー本体２を折り畳むことができる。この底部１４の外周から、周壁１５が一体に形成されている。
【００２６】
周壁１５は、車両前後方向に互いに対向して設けられた前後壁１８、１９と、左右方向に互いに対向して設けられる左右壁２０、２１とで形成されている。前壁１８の両側と右壁２０及び左壁２１の前部側は、ボタンホック２２によってそれぞれ着脱自在に連結され、後壁１９の両側と右壁１９、左壁２１の後部側もボタンホック２２によってそれぞれ着脱自在に連結されている。これにより、左右壁２０、２１は、シートカバー本体２内部２３を開閉可能に前後壁１８、１９に連結されている。
【００２７】
前壁１８の上端部には、左右方向に沿って筒状の袋部２４が設けられ、この袋部２４内には、パイプ２６が挿通されている。これにより前壁１８の上端部の形態が維持されている。なお、図１において符号２５で示す部分は、メッシュ加工された通風窓であり、前方からの車両の空調風がシートカバー本体２内に導入できるようになっている。また、後壁１９も前壁同様に、上端部に袋部２４が設けられ、この袋部２４内に、パイプ２６が挿通されている。そして、前後壁２０、２１には、前部側固定具６、後部側固定具７がそれぞれ設けられて、前席３と後席４との間にシートカバー本体２が固定される。
【００２８】
前部側固定具６は、前壁１８の左右両側にそれぞれ設けられている。上記のように、各前部側固定具６は、調整固定ベルト１０と、バックル１１とで形成されている。調整固定ベルト１０の一端側は、前壁１８の上端部に連結されている。他端側にはバックル１１のフック２７が取り付けられている。このフック２７は、調整固定ベルト１０が巻き付けられ、調整固定ベルト１０の先端側を引くことにより、調整固定ベルト１０の長さを調整することができる。また、フック２７は、前壁１８の下部側に連結された連結具２８と係合可能となっている。そして、調整固定ベルト１０の中間部は、前席３のシートバック（背もたれ）９に巻回され、他端をシートバック９とシートクッション（座面）２９との隙間から後席４側へ引き出し、先端側のフック２７を連結具２８に係合させ、調整固定ベルト１０の先端側を引き締めることで後部側固定具７によって後席４に固定された後壁１９に対して、前壁１８が前席３側に引っ張られた状態となりシートカバー本体２が前席３と後席４との間に固定される。
【００２９】
後部側固定具７は、シートカバー本体２の下部側を後席４の下部側に固定する下部側固定具１２と、シートカバー本体２の上部側を後席４の上部側に固定する上部側固定具１３とで形成されている。下部側固定具１２は、一端がシートカバー本体２の後部側下部に連結され他端が後席４の座面と背もたれ３０との隙間から後方側に引き出される固定ベルト３１と、この固定ベルト３１の他端側に設けられて後席４の座面３２と背もたれと３０の隙間からの固定ベルト３１の抜けを阻止する後席固定具３３とからなる。固定ベルト３１の他端側は、後席固定具３３に連結されると共に、その先端部に長さ調節用のバックル３４が設けられている。このバックル３４で固定ベルト３１の長さを調整することによって後壁１９を後席側へ引っ張ることができる。
【００３０】
後席固定具３３は、後席４のシートバック（背もたれ）３０とシートバック（座面）３２との隙間に挿入可能でかつ後方へ挿入させた後に固定ベルト３１に対して交差させることで隙間からの抜けが阻止される剛性を有した枠体３５と、この枠体３５内に設けられて固定ベルト３１が巻き付けられる巻き付けバー３６とからなる。
【００３１】
上部側固定具１３は、一端が後壁１８の上端部に連結され、他端が再び後壁１８の上端部に連結されると共に、長さ調整用のバックル３７が取り付けられて形成された引っ掛けベルト３８からなる。この引っ掛けベルト３８を、後席４のヘッドレスト３９の支持脚３９ａに巻回させ、バックル３７によって引き締めることによって後壁１９の上部側を後壁１９のヘッドレスト３９に引っ張った状態で固定する。
【００３２】
このようにしてシートカバー１が構成されている。なお、図１において、符号４０はセパレーションネットを示す。このセパレーションネット４０は、一側がシートカバー本体２の前部側、すなわち前壁１８の上端部に連結され、他側が車室内の両側部のアシストグリップ（不図示）にそれぞれ連結されている。
【００３３】
次に、上記構成のシートカバー１の車両への取付手順について説明する。
【００３４】
折り畳まれた状態のシートカバー１を自動車の前席３と後席４との間に載せて広げて、袋部２４内にパイプ２６を挿通させる。下部側固定具１２を後席４の背もたれ３０と座面３２との隙間から後方側へ引き出し固定ベルト３１を挿通させ、後席固定具３３を固定ベルト３１に対して交差するように、すなわち立ててバックル３４により固定ベルト３１を引き締める。次に、引っ掛けベルト３８を後席４のヘッドレスト３９の支持脚部３９ａに引っ掛けて、長さ調整用のバックル３７により引き締める。これにより、シートカバー本体２の後壁１９が後席４側に固定される。この状態で、左右壁２０、２１を立てて、ボタンホック２２により前後壁１８、１９に連結する。
【００３５】
次に、調整固定ベルト１０を前席３のヘッドレストと背もたれ９との間を通して、座面２９側へ掛け回す。すなわち上下方向に巻回させ、調整固定ベルト１０の先端側を前席３の背もたれ９と座面２９との間から後方側へ引きだした後に、フック２７を連結具２８に係合させる。そして、調整固定ベルト１０を引き締める。これにより前壁１８が前席３側へ引っ張られた状態で固定される。
【００３６】
以上の手順により、シートカバー１は、前席３と後席４との間に、前席３と後席４により固定される。
【００３７】
また、セパレーションネット４０を取り付ける場合には、一側をシートカバー本体２の前部側、すなわち前壁１８の上端部に連結し、他側を車室内の両側部のアシストグリップ（不図示）にそれぞれ連結する。
【００３８】
以上説明したシートカバー１によれば、前席３のヘッドレストを固定部分として用いることなく、前席３と後席４との間に強固に配設することができる。これにより、ヘッドレストに衝撃吸収装置が装備されていても、このシートカバー１を用いることができる。
【００３９】
また、本実施形態のシートカバー１は、底部１４が平面状態を維持可能な部材で構成されているので、前後席間３、４間での床側への沈み込みが防止される。
【００４０】
また、シートカバー本体２が、前席３、後席４に調整固定ベルト１０、固定ベルト３１、引っ掛けベルト３８により張力を持たせた状態で固定されるので、シートカバー本体２の動きを少なくすることができる。また、前部側では、前壁１８の上端部が調整固定ベルト１０によって前席３の背もたれ９に支持され、後壁１９の上端部が引っ掛けベルト３８によりヘッドレスト３９の支持脚３９ａに支持されているので、シートカバー本体２内のペットの荷重を十分に支えることができる。当然ながら、シートカバー床面（底部）、前面（前壁）、後面（後壁）はシート面（座面）、ドア面を覆うことができるので、ペットによる汚れや傷等を防止することができる。
【００４１】
また、セパレーションネット４０を取り付けることで、ペットの前席３側への移動を防ぎ、運転手への運転に影響を与えなることがなく、また、前面衝突時にペットが前方への投げ出されることがない。
【００４２】
さらに、左右壁２０，２１を設けたことにより、後席側のドアを開放した際にペットがいきなり飛び出すことがなくなる。また、左右壁２０、２１を前後壁１８、１９にボタンホック２２により着脱自在にしたことにより、ペットをシートカバー１に載せる際に、左右壁２０、２１を開放しておけば、容易に乗車させることができる。
【００４３】
また、フラットな床部（底部）を形成出来るため、大型ペットでも余裕を持って着座できる。
【図面の簡単な説明】
【００４４】
【図１】本発明の実施形態に係るペットシートカバーを示す斜視図である。
【図２】シートカバーを折り畳んだ状態を示す斜視図である。
【図３】シートカバーが前席と後席との間に配設された状態を示す斜視図である。
【図４】前席側の背もたれに調整固定ベルトが巻回されている状態を示す斜視図である。
【図５】前席側に巻回された調整固定ベルトを後席側から見た斜視図である。
【図６】調整固定ベルトのフックを連結具に係合させる状態を示す斜視図である。
【図７】後席に引っ掛けベルトを引っ掛けた状態を示す斜視図である。
【図８】後席の背もたれと座面との間に固定ベルトを挿通させる状態を示す側面図である。
【符号の説明】
【００４５】
１  ペットシートカバー（シートカバー）
２  シートカバー本体２
３  前席
４  後席
５  固定手段
６  前部側固定具
７  後部側固定具
８  昼間部
９  背もたれ
１０  調整固定ベルト
１１  バックル
１２  下部側固定具
１３  上部側固定具
【図１】
0004452231.tif 000002
【図２】
0004452231.tif 000003
【図３】
0004452231.tif 000004
【図４】
0004452231.tif 000005
【図５】
0004452231.tif 000006
【図６】
0004452231.tif 000007
【図７】
0004452231.tif 000008
【図８】
0004452231.tif 000009